(57)【要約】本発明の対象は、白熱灯、ハロゲンランプ、蛍光灯または他の光源からにかかわらず、その放射の可視スペクトルのうち５００から３８０ｎｍの短波長から、健康な眼および／または偽（無）水晶体眼（白内障の手術を受けた眼）および／または網膜変性眼を保護する目的で、可変的な割合で短波長の放出を減少させる光源である。本発明は、光源における可視スペクトル短波長の放出を直接減少させることにより、健康な眼、白内障の手術を受けた眼を保護し、かつ神経変性の過程における眼の保護を向上させるために、現在の技術における難点およびリスクを回避する。本発明は一般的な光源を含み、５００から３８０ｎｍの可視スペクトル短波長の放出を可変的な割合で減少させる。【選択図】  なし【特許請求の範囲】
【請求項１】
光源と可視スペクトルのうちの短波長の放出を可変的な割合で減少させる要素とを備える眼を保護する照明源。
【請求項２】
前記光源は、白熱、ハロゲン、蛍光の光源または何らかの方法で放出する他の光源のうちの１つである請求項１に記載の眼を保護する照明源。
【請求項３】
光を放出する製品を適切に組み合わせることにより、可視スペクトルのうちの短波長の放出を減少させる請求項１に記載の眼を保護する照明源。
【請求項４】
可視スペクトルのうちの短波長の放出を０％から１００％まで可変的に減少させる請求項１に記載の眼を保護する照明源。
【請求項５】
可視スペクトルのうち、約５００ｎｍから約３８０ｎｍの間にある波長を減少させる請求項１に記載の眼を保護する照明源。
【請求項６】
健康な眼の保護のための請求項１〜５の照明源の使用。
【請求項７】
偽（無）水晶体眼の保護のための請求項１〜５の照明源の使用。
【請求項８】
神経変性眼の保護のための請求項１〜５の照明源の使用。
【発明の詳細な説明】
【技術分野】
【０００１】
本発明は、治療および／または予防的な性質の光学適用の領域内における市場の眼科分野に関する。
【０００２】
本発明の対象は、可視スペクトルのうち５００から３８０ｎｍの短波長を可変的な割合で減少させ、放出する照明システムである。本発明の目的は、神経変性を引き起こす可能性がある可視スペクトルのうちの短波長から、健康な目および／または偽（無）水晶体眼（白内障手術を受けた目）および／または網膜変性眼を保護することである。
【背景技術】
【０００３】
視知覚は、波長の範囲３８０〜７６０ｎｍにおける可視光線に対する反応の結果である。環境において、太陽放射線は視力に対する主要なリスクファクターである。太陽は紫外線および赤外線放射を放出するが、その大部分は大気によって吸収される。大気中を透過した太陽放射線が地球表面に届くとき、その太陽放射線は、紫外線Ｂ波（２３０〜３００ｎｍ）、紫外線または紫外線Ａ波（３００〜３８０ｎｍ）、可視光線（３８０〜７６０ｎｍ）および赤外線（７６０〜１４００ｎｍ）からなる。健康なヒト眼は、赤外線および大部分の可視スペクトル線を網膜まで自由に透過させるが、角膜および水晶体は、可視スペクトルの最も反応性の高い波長（紫外線Ｂ波およびスペクトルの青色部分）が網膜に達することを防ぐ。
【０００４】
水晶体の黄色が強くなることで、老化とともにヒト水晶体の透過特性は変化し、そのことによって、紫外線および青色光線の排除能力が高まる。したがって、６５歳より高齢の人において、紫外光（＜４００ｎｍ）は透過されず、青色光（４００〜５００ｎｍ）の透過は著しく減少する。
【０００５】
黄斑窩において青色光感受性の光受容体が存在しないような光受容体の不均等分布による方法、およびこの区域にある保護効果も発揮する黄色色素の作用による方法、という２つの方法で、網膜はそれ自体を短波長光から保護することができる。
【０００６】
より短い波長の光に対してヒト眼が有するこれらの天然の保護システム、つまり水晶体および網膜の構造は、以下のような特定の疾患および／または外科手術処置により大きく影響を受ける可能性がある。
【０００７】
−外科的治療には水晶体の除去を伴う白内障。
−さらに、加齢黄斑変性（ＡＭＤ）を生じる網膜構造の劣化をもたらす病理学的老化過程を見出すことがよくある。
【０００８】
また、６５歳より高齢の人において、白内障およびＡＭＤの両方が共存する可能性があるということを考慮するべきである。この高齢患者集団において、白内障は視力喪失の主な原因であり、ＡＭＤは失明の主な原因である。さらに、他にも原因はあるが、特に平均寿命が伸びたためにこれらの両方の疾患が増加することを予期するべきである。このことは、研究分野および光学工業における、これらの疾患およびそれらの治療選択肢への大きな関心につながる。
【０００９】
いくつかの疫学的調査によって、白内障手術およびＡＭＤの間の関係が評価されてきた。一例として、クライン（Ｋｌｅｉｎ）らの、加齢性黄斑変性症の長期的事象との白内障および白内障手術の関連（Ｔｈｅ  Ａｓｓｏｃｉａｔｉｏｎ  Ｏｆ  Ｃａｔａｒａｃｔ  Ａｎｄ  Ｃａｔａｒａｃｔ  Ｓｕｒｇｅｒｙ  Ｗｉｔｈ  Ｔｈｅ  Ｌｏｎｇ−Ｔｅｒｍ  Ｉｎｃｉｄｅｎｃｅ  Ｏｆ  Ａｇｅ−Ｒｅｌａｔｅｄ  Ｍａｃｕｌｏｐａｔｈｙ）、Ａｒｃｈ  Ｏｐｔｈａｌｍｏｌ  １２０：１５５１−１５５８  （２００２）、およびフリーマン（Ｆｒｅｅｍａｎ）らの、白内障手術と加齢黄斑変性の間に関連があるか（Ｉｓ  Ｔｈｅｒｅ  Ａｎ  Ａｓｓｏｃｉａｔｉｏｎ  Ｂｅｔｗｅｅｎ  Ｃａｔａｒａｃｔ  Ｓｕｒｇｅｒｙ  Ａｎｄ  Ａｇｅ−Ｒｅｌａｔｅｄ  Ｍａｃｕｌａｒ  Ｄｅｇｅｎｅｒａｔｉｏｎ？）、Ａｍ  Ｊ  Ｏｐｔｈａｌｍｏｌｍ  １３５（６）：８４９−８５６  （２００３）では、白内障手術を受けた人においてＡＭＤ病徴を発症するリスクがより高いと主張されている。しかしながら、ワン（Ｗａｎｇ）らの、白内障および加齢性黄斑変性症：ブルーマウンテンズ眼研究（Ｃａｔａｒａｃｔ  Ａｎｄ  Ａｇｅ−Ｒｅｌａｔｅｄ  Ｍａｃｕｌｏｐａｔｈｙ：Ｔｈｅ  Ｂｌｕｅ  Ｍｏｕｎｔａｉｎｓ  Ｅｙｅ  Ｓｔｕｄｙ）、Ｏｐｈｔｈａｌｍｉｃ  Ｅｐｉｄｅｍｉｏｌ  ６：３１７−３２６（１９９９）およびマッカーティ（ＭｃＣａｒｔｙ）らの、加齢性黄斑変性症についてのリスクファクター：視力障害プロジェクト（Ｒｉｓｋｓ  Ｆａｃｔｏｒｓ  Ｆｏｒ  Ａｇｅ−Ｒｅｌａｔｅｄ  Ｍａｃｕｌｏｐａｔｈｙ：Ｔｈｅ  Ｖｉｓｕａｌ  Ｉｍｐａｉｒｍｅｎｔ  Ｐｒｏｊｅｃｔ）、Ａｒｃｈ  Ｏｐｔｈａｌｍｏｌ  １１９：１４５５−１４６２（２００１）による早期の研究では、恐らくそれらの診断測定に使用された技術が未熟であったために、この仮説は却下された。網膜神経変性過程への正確で迅速かつ非侵襲的フォローアップを可能にする光干渉断層撮影等の技術は、最近になってようやく導入された。これらの技術は、有害な放射を吸収する天然色素の効果測定の確立のために不可欠である。
【００１０】
いくつかの技術もまた、白内障手術が行なわれた眼を短波長光から保護するために開発されている。
【００１１】
−市場において、黄色色素を含むいくつかの種類のフィルターが存在するが、ヒト眼に対して、眼の天然の保護に代わる、かつ／または眼の天然の保護を向上するための防止的手段および／または治療的手段として、これらのフィルターを適用する最適な手順および／または装置はない。
【００１２】
１９９０年代中頃以来、フィルターとして作用する黄色色素を含む眼内レンズを白内障摘出術を行なった眼に移植してきた。この選択肢は、あらゆるリスクおよび困難を伴う外科的処置を必要とする。白内障手術中に天然レンズに代わる透明レンズを移植され、したがって必要な保護を欠いている多くの患者集団も存在する。これらの患者には、黄色色素支援システム、例えば、眼科用レンズあるいはコンタクトレンズ、により黄色色素を欠く人工水晶体を補完する必要がある。いかなる場合においても、眼に達する青色光および紫外線の割合を減少させることにより、網膜への損傷を回避するべきである。本発明では、５００ｎｍ未満の波長域の光の放出を減少させることで、短波長光の入射を減少させることを試みる。
【００１３】
本発明の対象とはかなり異なるが、この技術の現状と関連したいくつかの特許が開発されている。
【００１４】
−光線路を照明する顕微鏡で使用するための、平坦面を有する光学および保護要素（特開２００５−３４９２１１号）。
−眼を保護する緊急照明用ランプ（中国実用新案登録特許第２６９８９９５号）。
−染料を使用することにより高光度の条件下で視界を向上させるカラー露光システム用吸収フィルター（米国特許第５１２１０３０号）。
−例えばスポーツ活動において物体視覚を向上させる特定の活動のための特殊な光学フィルターおよびこれらのフィルターを使用する光学アクセサリー（米国特許第６８９３１２７号）。
−ヒト眼の色覚を向上または修正するカラーフィルターを設計する方法およびその方法で設計された色のフィルタリング手段（米国特許公開第２００４／００７５８１０号）。
−環境条件に対抗するために、ソフトウェアおよび／またはハードウェアによってプログラムされた色検出器に基づき、環境条件に関連する補正係数を用いるためのシステムおよび方法（米国特許出願公開第２００６／０１９５２７８号）
−光放射の特定の周波数を少なくとも一部排除する物質を含む弾粘性を有する液体または洗浄液で主に構成された眼の治療のための保護溶液（国際公開第２００５／０２５５７５号）。
−電磁放射線に対して保護、かつ／または近視もしくは色覚の欠如といった視覚の欠陥を補正する一組のフィルターを含む、ヒト眼の保護および補正装置（ドイツ特許第１０２５９２６１号）。
−たとえば、対象物（ヒト眼であり得る）の特定の領域において、光源から放出された光の強さを無くすことなく、光強度を弱めるよう構成されたスペクトルフィルターを含む外科用顕微鏡といった、部分的に照度を弱める装置を含む光学視覚システム（米国特許出願公開第２００２／０１１３９４１号）。
−検査中の眼に対して高レベルの照明での検査を可能とし、検査されている眼への損傷も防止する眼用投射顕微鏡ランプのための光度検知および制御システム（米国特許第４７１５７０４号に基づく米国特許第６２９９３１０号）。
−顕微鏡ランプより放出される光を制御する、顕微鏡ランプと組み合わされた拡散板（ドイツ特許第８８０８８７１号）。
−フィルターを包含し得る眼検診用ＬＥＤシステム（発光ダイオード）（イタリア特許第１１４７０９２号）。
−中性濃度フィルターの使用を含む、眼および視神経の欠損を検知するための立体測光器（特開平５−１３０９７６号）。
−４００から５００ｎｍの間の紫外線および青色光を実質的に減少させることにより、明るい環境において、視力を改善し、かつ目への損傷を減少させる、オレンジ色の眼鏡またはコンタクトレンズの形態の選択的透過機能を有する光学レンズ（米国再公表特許第３８４０２号）。
−青色光および紫外線を遮断する偏光レンズ（米国特許第５４００１７５号）。この設計において、偏光の水平成分を遮断する偏光子、および青色光と紫外線とを遮断するフィルターが組み合わされる。
−透明な周辺区域と、瞳孔野を覆い、それによって有害な太陽光線または他の潜在的に有害な光源に対して眼を保護する偏光素子とを有する偏光コンタクトレンズ（米国特許第６８７４８８８号）。
−サングラスに関する問題を解決するように設計された、白内障のためのカラーコンタクトレンズ（日本特許第１１２５３４８０号）。これは、サングラスの効果を再現し、着色された虹彩模様を有するカラーコンタクトレンズにおいて使用される瞳孔のようなものからなる。
【００１５】
これらの装置のどれもが健康な眼、白内障手術を行なった眼または神経変性眼を短波長光から保護するようには設計されていないので、主としてその目的および有用性においてこれらは本発明とは異なる。さらに、これらの特許の大多数が光源には言及せず、むしろ、これらは他の形式、つまりフィルター、レンズ、溶液または他のものについて説明している。
【発明の概要】
【発明が解決しようとする課題】
【００１６】
本発明の対象は、可視スペクトルのうち５００から３８０ｎｍの短波長を可変的な割合で減少させ、放出する照明システムである。本発明の目的は、神経変性を引き起こす可能性がある可視スペクトルのうちの短波長から、健康な目および／または偽（無）水晶体眼（白内障手術を受けた目）および／または網膜変性眼を保護することである。
【課題を解決するための手段】
【００１７】
このために、本発明は、可視スペクトルのうち５００から３８０ｎｍの短波長の放出を可変範囲まで減少させることにより、有害な光線から健康な眼、偽（無）水晶体眼および／または神経変性眼を保護する光源からなる。
【発明を実施するための最良の形態】
【００１８】
使用される照明システムの種類により、本発明を製造する方法はいくつかある。以下の説明は、一例としてなされたものであり、制限的なものでは全くない。
【００１９】
発明の製造例
−通常のランプの要素（コンタクト、ピンおよびフィラメント）および半透明の多結晶セラミックスバルブを必要とする。
−後続する方法は、キセノン、水銀アマルガムおよびナトリウムの混合物を２００ｍｍＨｇの圧力で封入することにより、高ナトリウム蒸気内容物で電球を製造する方法である。−黄色からオレンジ色の光を主に放出し、かつ青色光および紫色光の放出を最小限にすることにより、この種の高圧ナトリウムランプにおける色再現を達成する。与えられる色彩の反応は、ヒトの視覚には受理可能である。
【００２０】
結論として、この光源によって放出される青色／紫色の光量を減少させることにより、短波長光の影響から以下のものを保護するであろう。いかなる被験者の健康な眼、白内障の手術を受け透明眼内レンズを移植された患者の眼（この患者の保護されていない人工水晶体を補足することによって）、および神経変性を患う人の眼（このような人の眼の天然の保護を向上させることによって）。このシステムにより、市場で利用可能な選択肢（支援システムのないフィルタ、眼内レンズ）に関連した問題を回避し、さらに青色光の悪影響に対しても保護する。
【国際調査報告】
2010517653.tif 000002
2010517653.tif 000003
2010517653.tif 000004
2010517653.tif 000005